(57)【要約】【課題】顧客からの要求を受けて、店単位で集計した顧客別の売上データから当該顧客が支払った任意の期間の消費税の総額を算出して提供するものである。【解決手段】商取引毎に顧客コードおよびその消費税額等を含む売上データを登録する売上データ登録手段と、前記売上データ登録手段からの売上データを収集して処理するデータ処理手段と、前記データ処理手段が収集した売上データを蓄積保存する売上データ蓄積手段と、顧客コードおよび指定期間等の顧客情報を入力する顧客情報入力手段と、前記顧客情報入力手段により入力された顧客コードの顧客が指定期間に支払った消費税額の総額を集計して出力する消費税額出力手段と、を備える。【選択図】図６
2013168040.tif 000002
【特許請求の範囲】
【請求項１】
商取引毎に顧客コードおよびその消費税額等を含む売上データを登録する売上データ登録手段と、
前記売上データ登録手段からの売上データを収集して処理するデータ処理手段と、
前記データ処理手段が収集した売上データを蓄積保存する売上データ蓄積手段と、
顧客コードおよび指定期間等の顧客情報を入力する顧客情報入力手段と、
前記顧客情報入力手段により入力された顧客コードの顧客が指定期間に支払った消費税額の総額を集計して出力する消費税額出力手段と
を備える商品販売データ処理システム。
【請求項２】
前記顧客情報入力手段はＰＯＳ端末であることを特徴とする請求項１記載の商品販売データ処理システム。
【請求項３】
前記消費税額出力手段はＰＯＳ端末のレシートプリンタであることを特徴とする請求項１記載の商品販売データ処理システム。
【発明の詳細な説明】
【技術分野】
【０００１】
本発明の実施形態は商品販売データ処理システムに関する。
【背景技術】
【０００２】
従来、各店舗における商取引おいて、それぞれ販売される商品を１取引としてＰＯＳ端末で売上登録処理を行い、取引毎にレシートを発行していた。そして、通常レシートには、店名やロゴマークの他、取引日付、売上商品の品名，売上金額等の商品明細データ、小計額、消費税額、合計金額（小計＋消費税）等の支払明細データ、および取引番号等が記載されている。そこで、顧客が任意の期間の商取引において自分が支払った消費税の総額を知るためには、その任意の期間の全てのレシートを集めてそれらのレシートから消費税額を抽出して集計するしかなく、非常に手間のかかる作業を行わなければならなかった。しかも、その任意の期間においてレシートの紛失があると消費税の総額を正確に知ることは困難であった。
【先行技術文献】
【特許文献】
【０００３】
【特許文献１】特開2001-76256公報
【発明の概要】
【発明が解決しようとする課題】
【０００４】
そこで、本発明が解決しようとする課題は、顧客からの要求を受けて、店単位で集計した顧客別の売上データから当該顧客が支払った任意の期間の消費税の総額を算出して提供するものである。
【課題を解決するための手段】
【０００５】
本発明の実施形態における商品販売データ処理システムは、商取引毎に顧客コードおよびその消費税額等を含む売上データを登録する売上データ登録手段と、  前記売上データ登録手段からの売上データを収集して処理するデータ処理手段と、前記データ処理手段が収集した売上データを蓄積保存する売上データ蓄積手段と、顧客コードおよび指定期間等の顧客情報を入力する顧客情報入力手段と、前記顧客情報入力手段により入力された顧客コードの顧客が指定期間に支払った消費税額の総額を集計して出力する消費税額出力手段とを備える。
【図面の簡単な説明】
【０００６】
【図１】実施形態の商品販売データ処理システムの概略構成を示すブロック図。
【図２】同システムの要部構成を示すブロック図。
【図３】同システムにおいてＰＯＳ端末からストアコントローラに送信される売上データの構成図。
【図４】同システムにおいてストアコントローラのメモリに形成される顧客別売上データの集計テーブルを示す図。
【図５】同システムにおいて顧客情報を入力する顧客情報入力画面の一例を示す図。
【図６】同システムにおいて出力される顧客の消費税総額の消費税レポートの一例を示す図。
【図７】同システムにおいて消費税レポートの出力動作を示すフローチャート。
【発明を実施するための形態】
【０００７】
以下、実施形態の商品販売データ処理システムを図面を参照して説明する。
【０００８】
図１は、実施形態の商品販売データ処理システムとしてのＰＯＳシステム１の概略構成を示すブロック図である。
【０００９】
ＰＯＳシステム１は、売上データ登録手段としての複数台のＰＯＳ端末２と、データ処理手段としてのストアコントローラ３とからなる。このストアコントローラ３は各ＰＯＳ端末２の上位コントローラとして機能する。そして、各ＰＯＳ端末２とストアコントローラ３とは、通信回線である例えばＬＡＮ（Ｌｏｃａｌ  Ａｒｅａ  Ｎｅｔｗｏｒｋ）４によって双方向通信自在に接続されている。なお、ストアコントローラ３には、各ＰＯＳ端末２からＬＡＮ４を介して収集した売上データを蓄積保存するための売上データ蓄積手段としての売上集計ファイル５が設けられている。
【００１０】
図２は、ＰＯＳシステム１の要部構成を示すブロック図である。このＰＯＳシステム１は複数のＰＯＳ端末２およびストアコントローラ３等によって構成されている。
【００１１】
ＰＯＳ端末２は、主制御部を構成するＣＰＵ（Ｃｅｎｔｒａｌ  Ｐｒｏｃｅｓｓｉｎｇ  Ｕｎｉｔ）２１、主記憶部を構成するメモリ２２、ＬＡＮ４に接続されるＬＡＮインタフェース２３、商品情報等を入力する入力部を構成するキーボード２４およびスキャナ２５、表示部を構成するディスプレイ２６、売上商品のレシートを発行するレシートプリンタ２７、現金などを収容するためのドロア２８等によって構成されている。なお、レシートプリンタ２７は消費税額出力手段としての機能も備えている。
【００１２】
キーボード２４には、数値データを入力するための置数キー、数値データがＰＵＬ（Ｐｒｉｃｅ  Ｌｏｏｋ  Ｕｐ）コードであることを指令するＰＵＬキー、数値データが乗数であることを指令する乗算キー、１商取引として売上げた商品の小計出力を指令する小計キー、１商取引の売上代金を現金払いによって締めることを宣言する預／現計キー等に加えて、顧客コードおよび指定期間等の顧客情報を入力する顧客情報入力手段としてのＰＯＳ端末２のディスプレイに顧客情報入力画面を表示させる消費税額集計キーが設けられている。なお、この顧客情報入力画面については後述で詳細に説明する。
【００１３】
次に、ストアコントローラ３は、主制御部を構成するＣＰＵ３１、主記憶部を構成するメモリ３２、補助記憶部を構成するＨＤＤ（Ｈａｒｄ  Ｄｉｓｋ  Ｄｒｉｖｅ）装置３３、ＬＡＮ４に接続されるＬＡＮインタフェース３４、ＰＣインタフェース３５等のよって構成されている。ＨＤＤ装置３３には、前記売上集計ファイル５が形成されている。ＰＣインタフェース３５には、必要に応じてパーソナルコンピュータ（以下、パソコンと略称する）６が接続される。パソコン６は、管理者がストアコントローラ３にコマンドを与え、該コマンドに応答してストアコントローラ３から送られてくるデータを出力するためのもので、出力部としてのディスプレイの他、帳票印刷が可能なプリンタ７が接続されている。
【００１４】
図３は、売上集計ファイル５に保存される売上データ４０の構成図である。
【００１５】
売上データ４０は、店番号、端末番号、取引日、取引番号、顧客コード、小計額、消費税額、合計金額等の項目データによって構成される。店番号は、ＰＯＳ端末２が稼動している店舗を特定するための番号であり、各ＰＯＳ端末２のメモリ２２に予め設定されており、例では“Ａ”で示される。端末番号は、各ＰＯＳ端末２をそれぞれ特定するための番号であり、ＰＯＳ端末２毎に異なる番号が当該ＰＯＳ端末２のメモリ２２に設定されており、例では“Ａ０１”で示される。取引日は、１商取引の取引日であり、ＰＯＳ端末２のメモリ２２に登録され、例では“２０１１．１０．１５”で示される。取引番号は、ＰＯＳ端末２毎に処理された１商取引に対して自動的に発番される一連番号であり、ＰＯＳ端末２のメモリ２２に登録され、例では“Ａ０１−１１１０−０００１２３”で示される。
【００１６】
顧客コードは、１商取引に対応して入力される顧客を特定するための番号であり、ＰＯＳ端末２のメモリ２２に登録され、例では“１２３４−００００−９９９９−０００１”で示される。なお、この顧客コードは、店側が顧客に対して予め発行した顧客を特定するための背番号であり、メンバーカードや携帯電話等に登録されている。或いは個人の識別のため国民総背番号制で振られる番号でもよい。小計額［円］は、１商取引における売上商品の小計額であり、ＰＯＳ端末２のメモリ２２に登録され、例では“１３，５００”で示される。消費税額［円］は、当該商取引における小計額にかかる消費税であり、ＰＯＳ端末２のメモリ２２に登録され、例では“６７５”で示される。合計金額［円］は、当該商取引における小計額とその消費税額の合計の金額であり、ＰＯＳ端末２のメモリ２２に登録され、例では“１４，１７５”で示される。
【００１７】
図４は、ストアコントローラ３のメモリ３２に形成される顧客別売上データの集計テーブル５０を示す図である。
【００１８】
ストアコントローラ３のメモリ３２には、顧客コード１２３４−００００−９９９９−０００１、取引期間２０××年××月〜現在、レシート発行枚数××××枚、小計額×××××××円、消費税額××××××円、合計金額×××××××円をそれぞれ記載する顧客別売上データの集計テーブル５０が形成されている。
【００１９】
図５は、ＰＯＳシステム１において顧客情報を入力する顧客情報入力画面６０の一例を示す図である。
【００２０】
この顧客情報入力画面６０は、顧客コード入力欄、指定期間として前月、当月、前年、当年および期間指定する各操作キー、並びに印字を指示する印刷キーで構成されている。期間指定を選択する場合は指定する期間を併せて入力する。なお、この実施形態のＰＯＳシステム１においては、顧客情報入力画面６０による顧客情報の入力を、顧客からの要求を受けて、キャッシャがＰＯＳ端末２を操作して実行したが、ＰＯＳシステム１に接続されたパソコン等の端末機器（図示せず）を利用して顧客が自ら操作して実行してもよい。
【００２１】
図６は、ＰＯＳシステム１において出力された顧客の消費税総額の消費税レポート７０の一例を示す図である。
【００２２】
この消費税レポート７０には、店名（またはロゴマーク）（株）××商店、発行日時２０１１年１２月０７日（水）１２：３０、発行番号Ｎｏ．０００１、消費税レポート、顧客コード１２３４−００００−９９９９−０００１、前月￥３，５３８、当月￥１２３、前年￥１７３，９５２、当年￥１５６，７８８、期間（２０１１．１０．０１〜２０１１.１２．０７）￥７０，３５６等が印刷されている。この消費税レポート７０は、顧客からの要求を受けてキャッシャがＰＯＳ端末２を操作して、或いは顧客が自らＰＯＳシステム１に接続されたパソコン等の端末機器（図示せず）を操作して出力させることができる。
【００２３】
次に、この消費税レポート７０の出力について説明する。図７は、ＰＯＳシステム１において消費税レポート７０の出力動作を示すフローチャートである。
【００２４】
図７に示すように、顧客から消費税レポート７０の要求があると、ステップＳ１でキャッシャはＰＯＳ端末２のキーボード２４の消費税額集計キーを入力する。この消費税額集計キーが入力されると（ステップＳ１のＹ）、ステップＳ２でＰＯＳ端末２のディスプレイ２６に顧客情報入力画面６０が表示される。ステップＳ３で顧客情報入力画面６０において顧客情報を入力する。この顧客情報は顧客コードおよび指定期間（前月，当月，前年，当年，期間指定等）である。そして、顧客情報の入力が完了すると（ステップＳ３のＹ）、ステップＳ４で印刷キーを入力する。この印刷キーが入力されると（ステップＳ４のＹ）、ステップＳ５でＰＯＳ端末２のレシートプリンタ２７は当該顧客の消費税レポート７０を印刷して発行する。この消費税レポート７０の発行により一連の出力動作を終了する。
【００２５】
なお、ステップＳ３で顧客情報の入力が完了していない場合は（ステップＳ３のＮ）、顧客情報入力画面６０に戻し、キャッシャに対して顧客情報の入力を促す。顧客情報の入力が完了しないかぎりこの動作を繰り返す。また、ステップＳ４で印刷キーの入力が行われない場合は（ステップＳ４のＮ）、ステップＳ４の前段に戻し、キャッシャに対して印刷キーの入力を促す。印刷キーの入力が行われないかぎりこの動作を繰り返す。
【００２６】
なお、顧客から消費税レポート７０の要求がないと、ステップＳ１でキャッシャはＰＯＳ端末２のキーボード２４の消費税額集計キーを入力しないので（ステップＳ１のＮ）、消費税レポート７０の発行は行われない。
【００２７】
また、顧客が自らＰＯＳシステム１に接続されたパソコン等の端末機器（図示せず）を操作して、自分の消費税レポート７０を印刷して発行する場合の出力動作も同様である。
【００２８】
以上、説明したように、本実施形態の商品販売データ処理システムによれば、顧客からの要求を受けて、店単位で集計した顧客別の売上データから当該顧客が支払った任意の期間の消費税の総額を算出して提供することができる。
【００２９】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３０】
１              ＰＯＳシステム（商品販売データ処理システム）
２              ＰＯＳ端末（売上データ登録手段、顧客情報入力手段）
３              ストアコントローラ（データ処理手段）
５              売上データ集計ファイル（売上データ蓄積手段）
２７            プリンタ（消費税額出力手段）
４０            売上データ
５０            売上データ集計テーブル
６０            顧客情報入力画面
７０            消費税レポート
【図１】
2013168040.tif 000003
【図２】
2013168040.tif 000004
【図３】
2013168040.tif 000005
【図４】
2013168040.tif 000006
【図５】
2013168040.tif 000007
【図６】
2013168040.tif 000008
【図７】
2013168040.tif 000009